(57)【特許請求の範囲】
【請求項１】
被取付部に埋め込んで使用される照明器具において、
長手方向の両端面に入射面、この入射面の間に出射面及びこの出射面に対向する裏側の面に粗面を有する細長の導光部材と、
照射方向が前記導光部材のそれぞれの入射面に向けて配設された光源と、
前記導光部材の出射面が露出する開口部を有し、前記導光部材及び前記光源を囲うケースと、
を備えることを特徴とする照明器具。
【請求項２】
前記光源は、該光源に電源を供給し、又は、別の照明器具における前記光源と接続する配線を有することを特徴とする請求項１記載の照明器具。
【請求項３】
導光部材を、入射面の間で折り曲げた形状としたことを特徴とする請求項１又は請求項２記載の照明器具。
【請求項４】
導光部材を角柱形状とし、出射面は前記角柱の隣り合った二面としたことを特徴とする請求項１又は請求項２記載の照明器具。
【請求項５】
導光部材の出射面を曲面としたことを特徴とする請求項１又は請求項２記載の照明器具。
【請求項６】
導光部材の入射面に光源を支持する支持穴を設けたことを特徴とする請求項１乃至請求項５のいずれかに記載の照明器具。
【請求項７】
導光部材の入射面と出射面以外の面を高反射シートで覆ったことを特徴とする請求項１乃至請求項６のいずれかに記載の照明器具。
【請求項８】
光源をＬＥＤとすることを特徴とする請求項１乃至請求項７のいずれかに記載の照明器具。
【発明の詳細な説明】
【０００１】
【発明の属する技術分野】
この発明は、被照射箇所の近傍に取り付けられて使用される照明器具に関し、特に壁面、幅木、階段のステップなどに取り付けられ足元周辺を照明する照明器具に関する。
【０００２】
【従来の技術】
図１４は従来の足元照明システムの照明器具を示す分解斜視図であり、階段や廊下の足元を照明するものである。図において、３１は光源ユニット、３２は光源内蔵部、３３はカバー体、３は電源を光源２に供給する配線、３４は配線スペース３５を備えた見切り縁部材であり、光源ユニット３１が取り付けられている。
【０００３】
光源ユニット３１の光源内蔵部３２は示したように、開口部３２ａに長手方向に沿ってＬＥＤなどの光源２が複数個線状に配設され、線光源のように光を放射し、カバー体３３は、たとえば乳白色のアクリル製となっており、光源２からの光を均一化させている。そして、光源ユニット３１は見切り縁部材３または階段側板部材の開口部に嵌め込まれて取り付けられ、光源ユニット３１のカバー体３３を透過した光源２からの均一化された帯状放射光によって足元が照明される。
【０００４】
【発明が解決しようとする課題】
上記のような従来の照明器具では、線光源のように光を放射し、発光部分を長くするために、光源を複数個並べる必要があり、光源の数が多く、電力消費が多く、生産性が悪いという問題があった。さらに、発光距離を長くすると一層電力消費が増え生産性も一層悪くなるので発光距離も長くできないと言う問題があった。また、光源の数によっては発光ムラも生じるという問題があった。さらに、光源の照射方向が前方なのでまぶしいという問題があった。
【０００５】
この発明は上記のような問題点を解消するためになされたもので、少ない光源で発光域をある程度自由に設定でき、発光距離が長くしたり被取付場所の形状に応じた形状にできて適用範囲が広く、消費電力が少なく、また、発光ムラが少なく、まぶしさを防ぐことができる照明器具を得ることを目的とする。
【０００６】
【課題を解決するための手段】
この発明に係わる照明器具は、被取付部に埋め込んで使用される照明器具において、長手方向の両端面に入射面、この入射面の間に出射面及びこの出射面に対向する裏側の面に粗面を有する細長の導光部材と、照射方向が前記導光部材のそれぞれの入射面に向けて配設された光源と、前記導光部材の出射面が露出する開口部を有し、前記導光部材及び前記光源を囲うケースと、を備えるものである。
また、前記光源は、該光源に電源を供給し、又は、別の照明器具における前記光源と接続する配線を有するものである。
【０００７】
また、導光部材を、入射面の間で折り曲げた形状としたものである。
【０００８】
また、導光部材を角柱形状とし、出射面は前記角柱の隣り合った二面としたものである。
【０００９】
また、導光部材の出射面を曲面としたものである。
【００１０】
また、導光部材の入射面に光源を支持する支持穴を設けたものである。
【００１１】
また、導光部材の入射面と出射面以外の面を高反射シートで覆ったものである。
【００１２】
また、光源をＬＥＤとするものである。
【００１３】
【発明の実施の形態】
実施の形態１．
図１はこの発明の実施の形態１を示す照明器具の斜視図、図２は図１の分解斜視図、図３は図２の要部斜視図、図４〜６は照明器具の使用例である。
図１〜３において、１０はこの発明に係わる照明器具であり、この照明器具１０において、１は長手方向の両端面に光源２の光が入射する入射面１ａ、１ａこの入射面１ａ、１ａの間に出射面１ｂ及びこの出射面１ｂに対向する裏側の面に粗面１ｃを有する細長の導光部材、３は電源を光源２に供給する配線、４は配線に接続され、照明器具１０を複数個接続する中継用コネクタである。
【００１４】
５は導光部材１、光源２及び配線３を収納するケースであり、導光部材１、光源２を各々取り付ける取付板２１、２２が設けられている。６はケース５の開口部を覆うカバーであり、導光部材１の出射面１ｂが露出するように開口部６ａが設けられている。なお、光源２は主にＬＥＤが使用される。なお、図１、２では光源２を導光部材１の両端に各々１個ずつ設けているが導光部材１の大きさにより複数個使用される。また、導光部材１の粗面１ｃを光源２に近くなるに従い粗さを大きくし、さらに、導光部材１の入射面１ａと出射面１ｂ以外の面を高反射シートで覆って、反射効率を高くしてもよい。
【００１５】
この構成において、光源２からの光は導光部材１の入射面１ａから導光部材１内に入射し、入射した光は出射面１ｂと粗面（散乱面）１ｃの間を散乱反射しながら進んでいく。このとき、出射面１ｂで全反射し、次に散乱面１ｃで散乱反射し、出射面１ｂに対し全反射の臨界角より小さな角度で反射された光が出射面１ｂから出射する。このようにして導光部材１から出射する光は全体に均一化される。そして、光源２の数は増やさずに導光部材１を長くしたり、幅を変えたりしてもあかるさにムラは生じない。
【００１６】
図４は照明器具１０を建物内部の幅木内に埋設した場合を示す斜視図である。図において１１は幅木であり、照明器具１０の導光部材１が露出する開口部１１ａが設けられ、断面がコの字形状とし照明器具１０及び中継用コネクタ４等のスペースが設けられでいる。照明器具１０は中継用コネクタ４により複数個接続されてケース５の裏面を壁面に両面接着テープ等で固定され、幅木は照明器具１０を覆って壁面に取り付けられ足元が照明される。
【００１７】
図５は照明器具１０を階段１４の囲み板１３に取り付けた場合、図６は照明器具１０を玄関の上がり框１５に取り付けた場合を示すが、階段１４の囲み板１３、玄関の上がり框１５の幅に応じ光源２の数を変えないで照明器具１０の長さを変えて各々足元を照明している。
【００１８】
以上のように、少ない光源２で取付場所に応じ発光域をある程度自由に設定して発光距離を長くしたり被取付場所の形状に応じた形状にして適用範囲を広くすることができ、消費電力を少なくすることができる。また、発光ムラが少なく、導光部材１の出射面１ｂからの光が光源２の直接光でなく散乱光なのでまぶしくなく照明することができる。
【００１９】
実施の形態２．
図７はこの発明の実施の形態２を示す照明器具の部分破断斜視図、図８は照明器具の使用例である。
図７において、実施の形態１の図１、２と同一または同等の部分には同じ符号を付し説明を省略する。２５は長手方向の両端面に光源２の光が入射する入射面２５、両端の入射面２５ａの間に出射面２５ｂ及びこの出射面２５ｂに対向する裏側の面に粗面（図示せず）、曲げ部２５ｄを有する細長の導光部材、
２６は導光部材２５、光源２及び配線３を収納し、曲げ部２６ａを有するケース、２７は曲げ部２７ｂを有しケース２６の開口部を覆うカバーであり、導光部材２５の出射面２５ｂが露出するように開口部２７ａが設けられている。
【００２０】
この構成において、実施の形態１と同様に、光源２からの光は導光部材２５の入射面２５ａから導光部材２５内に入射し、出射面２５ｂから出射する。
【００２１】
図８は照明器具１０を建物内部の壁面のコーナー部に埋設した場合を示す斜視図である。図において１２は壁面であり照明器具１０は中継用コネクタ４により複数個接続されてケース２６の裏面を壁面に両面接着テープ等で取り付けられ足元が照明される。
【００２２】
以上のように、少ない光源２で壁面のコーナー等に取り付けられ、消費電力が少なく、発光ムラが少なく、まぶしくなく照明することができる。
【００２３】
実施の形態３．
図９はこの発明の実施の形態３を示す照明器具の部分破断斜視図、図１０は照明器具の使用例である。
図９において、実施の形態１の図１、２と同一または同等の部分には同じ符号を付し説明を省略する。図９において、４１は長手方向の両端面に光源２の光が入射する入射面４１ａ、この両端の入射面４１ａの間に隣り合った２面の出射面４１ｂ、４１ｂ及びこの出射面４１ｂに対向する裏側の２つの粗面４１ｃ、４１ｃを有する柱状の導光部材、２３は導光部材４１、光源２及び配線３を収納するケース、２４はケース２３の開口部を覆うカバーであり、導光部材４１の出射面４１ｂが露出するように開口部２４ａが設けられ、また、導光部材４１の下とケース２３の間に配線３用の間隙を設けている。
【００２４】
この構成において、光源２からの光は導光部材４１の入射面４１ａから導光部材４１内に入射し、入射した光は２つの出射面４１ｂ、４１ｂと粗面（散乱面）４１ｃ、４１ｃの間を散乱反射しながら進み、出射面４１ｂ、４１ｂで全反射し、次に散乱面４１ｃ、４１ｃで散乱反射し、出射面４１ｂ、４１ｂに対し全反射の臨界角より小さな角度で反射された光が出射面４１ｂ、４１ｂから出射する。
【００２５】
図１０は照明器具１０を建物内部の壁面のコーナー部に埋設した場合を示す斜視図である。照明器具１０は裏面を壁面１２に両面接着テープ等で取り付けられ壁面のコーナー部の足元が照明される。
【００２６】
以上のように、建物のコーナー部に縦に使用でき、消費電力が少なく、発光ムラが少なく、まぶしくなく照明することができる。
なお、本実施の形態では２面の出射面４１ａの場合を示したが、この２面の出射面４１ａは壁面のコーナーの形状が曲面の場合は曲面の出射面としてもよい。
【００２７】
実施の形態４．
図１１はこの発明の実施の形態４を示す照明器具の導光部材の要部斜視図、図１２は照明器具の使用例である。
図１１において５１は長手方向の両端面に入射面５１ａ、この入射面５１ａの間に断面が円弧状の出射面５１ｂ及びこの出射面５１ｂに対向する裏側の粗面５１ｃを有する断面がかまぼこ形状の柱状の導光部材である。その他の構成は実施の形態１と同等であり説明を省略する。
【００２８】
この構成において、光源２からの光は導光部材５１の入射面５１ａから導光部材５１内に入射し、出射面５１ｂから出射する。
【００２９】
図１２は照明器具１０を階段の手摺り１７に埋設した場合を示す斜視図であり、手摺り１７及び階段が照明される。
【００３０】
以上のように、出射面５１ｂを被取付物の形状に応じた形状にでき、消費電力が少なく、発光ムラが少なく、まぶしくなく照明することができる。
【００３１】
実施の形態５．
図１３はこの発明の実施の形態３を示す照明器具の要部斜視図である。図において、実施の形態１の図２と同一または同等の部分には同じ符号を付し説明を省略する。６１は長手方向の両端面に光源２の光が入射する入射面６１ａ、両端のこの入射面６１ａの間に出射面６１ｂ及びこの出射面６１ｂに対向する裏側の面に粗面６１ｃを有する細長の導光部材、６１ｄは光源２を支持する光源支持部、６２は光源２を支持した導光部材６１、配線３を収納し開口部６２ａが設けられたケースである。
【００３２】
この構成において、被取付場所にケース６２の端部６２ｂ、６２ｃ及び導光部材６１の粗面６１ｃを両面テープ等で取り付ける。
【００３３】
以上のように、ケースを省いて照明器具１０を構成することができ、部品点数を少なくすることができる。
【００３４】
【発明の効果】
この発明に係わる照明器具は、被取付部に埋め込んで使用される照明器具において、長手方向の両端面に入射面、この入射面の間に出射面及びこの出射面に対向する裏側の面に粗面を有する細長の導光部材と、照射方向が前記導光部材の入射面に向けて配設された光源と、を備えるので、少ない光源で発光域をある程度自由に設定して、発光距離を長くしたり被取付場所の形状に応じた形状にして適用範囲を広くすることができ、消費電力が少なく、また、発光ムラが少なく、まぶしさを防ぐことができる。
【００３５】
また、導光部材を、入射面の間で折り曲げた形状としたので、建物のコーナーに使用することができる。
【００３６】
また、導光部材を角柱形状とし、出射面は前記角柱の隣り合った二面としたので、建物のコーナー部に縦に使用することができる。
【００３７】
また、導光部材の出射面を曲面としたので、曲面形状の被取付部に使用することができる。
【００３８】
また、導光部材の入射面に光源を支持する支持穴を設けたので、部品点数を少なくすることができる。
【００３９】
また、導光部材の入射面と出射面以外の面を高反射シートで覆ったので、出射効率がよく、消費電力を少なくすることができる。
【００４０】
また、光源をＬＥＤとするので、コンパクトにでき消費電力を少なくすることができる。
【図面の簡単な説明】
【図１】  この発明の実施の形態１を示す照明器具の斜視図である。
【図２】  この発明の実施の形態１を示す照明器具の分解斜視図である。
【図３】  図２の要部斜視図である。
【図４】  この発明の実施の形態１の照明器具の使用例を示す斜視図である。
【図５】  この発明の実施の形態１の照明器具の使用例を示す斜視図である。
【図６】  この発明の実施の形態１の照明器具の使用例を示す斜視図である。
【図７】  この発明の実施の形態２を示す照明器具の部分破断斜視図である。
【図８】  この発明の実施の形態２の照明器具の使用例を示す斜視図である。
【図９】  この発明の実施の形態３を示す照明器具の部分破断斜視図である。
【図１０】  この発明の実施の形態３の照明器具の使用例を示す斜視図である。
【図１１】  この発明の実施の形態４を示す照明器具の部分破断斜視図である。
【図１２】  この発明の実施の形態４の照明器具の使用例を示す斜視図である。
【図１３】  この発明の実施の形態５１を示す照明器具の要部分解斜視図である。
【図１４】  従来の照明器具の分解斜視図である。
【符号の説明】
１、２５、４１、５１、６１  導光部材、１ａ、２５ａ、４１ａ、５１ａ、６１ａ  入射面、１ｂ、２５ｂ、４１ｂ、５１ｂ、６１ｂ  出射面、１ｃ、２５ｃ、４１ｃ、５１ｃ、６１ｃ  粗面、２、光源、１０  照明器具、６１ｄ  光源支持穴。
【図１】
0004450465.tif 000002
【図２】
0004450465.tif 000003
【図３】
0004450465.tif 000004
【図４】
0004450465.tif 000005
【図５】
0004450465.tif 000006
【図６】
0004450465.tif 000007
【図７】
0004450465.tif 000008
【図８】
0004450465.tif 000009
【図９】
0004450465.tif 000010
【図１０】
0004450465.tif 000011
【図１１】
0004450465.tif 000012
【図１２】
0004450465.tif 000013
【図１３】
0004450465.tif 000014
【図１４】
0004450465.tif 000015